(57)【要約】【課題】コンセントから差込プラグを引き抜き易くし、不意に抜け難くする。【解決手段】ハウジングに１対の差込孔を、ハウジング内に１対の雌型接触片を設けたコンセントにおいて、１対の差込孔２３、２４は、それらの間の中点を中心とする円弧形状にし、その差込孔の一端側に差込プラグの雄型接触片を差し込み、差込プラグをその１対の雄型接触片間の中点を中心として回転して差込プラグの１対の雄型接触片を差込孔の他端側に移動させる構成にした。１対の雌型接触片は、１対の差込孔２３、２４の他端側に配置し、差込プラグの１対の雄型接触片が１対の差込孔の一端側に差し込まれたときには、差込プラグの雄型接触片が雌型接触片に挟まれず、差込プラグの１対の雄型接触片が１対の差込孔の他端側に達すると、差込プラグの１対の雄型接触片が１対の雌型接触片に挟まれる構成にした。【選択図】  図１
2004273280.tif 000002
【特許請求の範囲】
【請求項１】
ハウジングに、差込プラグの１対の雄型接触片を差し込む１対の差込孔を貫通し、この差込孔に対応して、ハウジングの内側に、差込プラグの１対の雄型接触片を挟む１対の雌型接触片を設けたコンセントにおいて、
１対の差込孔は、それらの間の中点を中心とする円弧形状にし、１対の差込孔の一端側に差込プラグの１対の雄型接触片を差し込み、差込プラグをその１対の雄型接触片間の中点を中心として回転して差込プラグの１対の雄型接触片を１対の差込孔の他端側に移動させる構成にし、
１対の雌型接触片は、１対の差込孔の他端側に配置し、差込プラグの１対の雄型接触片が１対の差込孔の一端側に差し込まれたときには、差込プラグの雄型接触片が雌型接触片に挟まれず、差込プラグの１対の雄型接触片が１対の差込孔の他端側に達すると、差込プラグの１対の雄型接触片が１対の雌型接触片に挟まれる構成にしたことを特徴とするコンセント。
【請求項２】
１対の差込孔とこれに対応した１対の雌型接触片は、ハウジングとハウジング内側の複数個所に設け、ハウジングの複数個所にそれぞれ差込プラグを差し込み可能にしたことを特徴とする請求項１に記載のコンセント。
【請求項３】
ハウジングの外側に、ハウジング内側の雌型接触片と接続したコードを引き出し、コードに差込プラグを接続したことを特徴とする請求項１又は２に記載のコンセント。
【発明の詳細な説明】
【０００１】
【発明の属する技術分野】
本発明は、コンセントにおいて、差込プラグを引き抜き易くし、不意に抜け難くする技術に関する。
【０００２】
【従来の技術】
延長コードは、コンセントと差込プラグとをコードで接続している。家庭用の単相交流電源側のコンセントと家庭用の電気器具、例えばテレビ受像機側の差込プラグとの間に使用される。
【０００３】
延長コードのコンセントは、単数口又は複数口であり、ハウジングの単数又は複数個所に、それぞれ、差込プラグの１対の雄型接触片を差し込む１対の差込孔を貫通し、ハウジング内側の各差込孔対応位置に、それぞれ、差込プラグの１対の雄型接触片を挟む１対の雌型接触片を設けている。ハウジングの外側には、ハウジング内側の各雌型接触片と接続したコードを引き出している。
【０００４】
差込孔は、断面形状が長方形であり、差込プラグの雄型接触片の根元側が嵌合する。雌型接触片は、２枚の接触片が近接して並列しており、差込プラグの雄型接触片の先端側が挟み込まれる。
【０００５】
延長コードの差込プラグは、家屋の壁コンセントに差し込まれる。延長コードのコンセントは、家屋の床の上に置かれ、差込孔に、電気器具にコードで接続した差込プラグが差し込まれる。また、延長コードのコンセントから電気器具の差込プラグを引き抜くときには、コンセントを片手で固定し、他の片手で電気器具の差込プラグを引っ張る。両手を使用する。
【０００６】
特許文献１に記載されたコンセントは、差込プラグを小さい力で外すため、差込プラグを差し込む長方形状の挿入穴を長手方向に広げることを示している。長手方向に広げた挿入穴に差し込んだ差込プラグは、挿入穴の長手方向に倒すと、挿入穴から簡単にとれる、とのことである。
【０００７】
【特許文献１】
実開昭６２−７３４８５号公報
【０００８】
【発明が解決しようとする課題】
ところが、延長コードのコンセントから電気器具の差込プラグを引き抜くときには、差込プラグは、雄型接触片の根元側が差込孔に嵌合している一方、雄型接触片の先端側が雌型接触片に所定の力で挟み込まれているので、差込プラグの雄型接触片を差込孔から抜き取るのには、差込プラグの雄型接触片を雌型接触片から引き抜く力、差込プラグを引っ張る大きな力を必要とする。
【０００９】
このように、差込プラグを引っ張る大きな力を必要とするコンセントは、差込プラグを引っ張る操作を行い難い障害者には、使用し難い。
【００１０】
その上、延長コードのコンセントは、可動型であり、床の上に置かれて固定されない。床の上に置かれたコンセントから電気器具の差込プラグを引き抜こうとして、床上のコンセントを固定せずに、電気器具の差込プラグを上方に引っ張ると、その差込プラグと一緒にコンセントが持ち上がり、電気器具の差込プラグがコンセントから抜けない。
【００１１】
延長コードのコンセントから電気器具の差込プラグを引き抜くときには、コンセントを片手で固定すると共に、他の片手で電気器具の差込プラグを引っ張る必要があり、両手を必要とする。延長コードのコンセントは、差込プラグを片手では引き抜き難い。両手が健常ではない障害者には、使用し難い。
【００１２】
特許文献１に記載のコンセントは、詳細な構造が明確ではないが、使用者が差込プラグを倒す操作を行うと、差込プラグを簡単に外すことができるとしても、長手方向に広い挿入穴に差し込んだ差込プラグに、その差込プラグを挿入穴の長手方向に倒す外力が不意に加わると、差込プラグが簡単に外れてしまうことになる。挿入穴に差し込んだ差込プラグには、これを倒す外力が加わり易い。
【００１３】
コンセントにおいては、差込プラグを引き抜き易くするのみならず、不意に抜け難くすることも必要である。
【００１４】
【課題を解決するための手段】
１）ハウジングに、差込プラグの１対の雄型接触片を差し込む１対の差込孔を貫通し、この差込孔に対応して、ハウジングの内側に、差込プラグの１対の雄型接触片を挟む１対の雌型接触片を設けたコンセントにおいて、
１対の差込孔は、それらの間の中点を中心とする円弧形状にし、１対の差込孔の一端側に差込プラグの１対の雄型接触片を差し込み、差込プラグをその１対の雄型接触片間の中点を中心として回転して差込プラグの１対の雄型接触片を１対の差込孔の他端側に移動させる構成にし、
１対の雌型接触片は、１対の差込孔の他端側に配置し、差込プラグの１対の雄型接触片が１対の差込孔の一端側に差し込まれたときには、差込プラグの雄型接触片が雌型接触片に挟まれず、差込プラグの１対の雄型接触片が１対の差込孔の他端側に達すると、差込プラグの１対の雄型接触片が１対の雌型接触片に挟まれる構成にした。
【００１５】
２）上記のコンセントにおいて、
複数口のコンセントにした、即ち、
１対の差込孔とこれに対応した１対の雌型接触片は、ハウジングとハウジング内側の複数個所に設け、ハウジングの複数個所にそれぞれ差込プラグを差し込み可能にした。
【００１６】
３）上記のコンセントにおいて、
延長コードのコンセントにした、即ち、
ハウジングの外側に、ハウジング内側の雌型接触片と接続したコードを引き出し、コードに差込プラグを接続した。
【００１７】
【発明の効果】
本発明のコンセントに差込プラグを差し込むときには、差込プラグを片手で摘み、その差込プラグを差込孔に向けて突き出し、差込プラグの１対の雄型接触片を１対の差込孔の一端側に差し込む。次に、差込プラグをひねって回転し、差込プラグの１対の雄型接触片を１対の差込孔の他端側に移動させる。すると、差込プラグの１対の雄型接触片が１対の雌型接触片に挟まれる。差込プラグがコンセントに電気的に接続される。
【００１８】
差込プラグを引き抜くときには、差込プラグを片手で摘み、その差込プラグをひねって回転し、差込プラグの１対の雄型接触片を１対の差込孔の一端側に移動させる。すると、差込プラグの１対の雄型接触片が１対の雌型接触片から抜け出る。差込プラグがコンセントから電気的に遮断される。次に、差込プラグを差込孔から手前側に引き寄せ、差込プラグの１対の雄型接触片を１対の差込孔から抜き取る。
【００１９】
本発明のコンセントから差込プラグを引き抜くときには、差込プラグをひねって差込プラグの雄型接触片を雌型接触片から抜き出した後、差込プラグを手前側に引き寄せて差込プラグの雄型接触片を差込孔から抜き取るので、差込プラグの雄型接触片を差込孔から抜き取るのには、差込プラグの雄型接触片を雌型接触片から抜き出す力を必要としない。
【００２０】
本発明のコンセントは、差込プラグを引き抜くときに差込プラグを引っ張る大きな力を必要としないので、差込プラグを引っ張る操作を行い難い障害者にも、使用し易い。
【００２１】
その上、本発明のコンセントは、延長コードのコンセントのように可動型であっても、コンセントに差し込んだ差込プラグを摘んだ片手でコンセントを床や壁に押し付けつつ、その片手で差込プラグをひねって回転すると、差込プラグを片手で簡単に引き抜くことができる。両手が健常ではない障害者にも、使用し易い。
【００２２】
また、本発明のコンセントに差し込んだ差込プラグは、その１対の雄型接触片間の中点を中心として回転しなければ、コンセントから電気的に遮断されない。コンセントに差し込んだ差込プラグには、そのように回転させる外力は、加わり難い。差込プラグが不意に抜け難い。
【００２３】
【発明の実施の形態】
実施形態のコンセントは、延長コードのコンセントである。延長コードは、図１に示すように、２個口タップのコンセント１と差込プラグ１０とをコード７で接続している。家庭用の単相低圧電源、交流１００Ｖの電源側のコンセント、例えば壁コンセントと、家庭用の電気器具、例えばテレビ受像機や電熱器側の差込プラグとの間に使用する。
【００２４】
延長コードのコンセント１は、図１〜図３に示すように、下側ハウジング２と上側ハウジング３をネジ４で結合して直方体形状の箱を構成している。下側ハウジング２と上側ハウジング３は、殻構造であり、電気絶縁性合成樹脂の成形品である。
【００２５】
下側ハウジング２は、下側壁の前部上に左右１対の取付座５を設け、左右の両取付座５の上に、それぞれ、金属板の導電部材６の前端とコード７の電線８の後端とを重ねてネジ９で固定している。２本の電線８を内蔵したコード７は、箱形状ハウジング２、３の前側壁を貫通し、ハウジング２、３の外側に引き出している。コード７の先端には、差込プラグ１０を接続している。差込プラグ１０の１対の雄型接触片は、コード７の２本の電線８を経てハウジング２、３内の左右の導電部材６に電気的に接続している。
【００２６】
左右の導電部材６は、図２と図３に示すように、それぞれ、下側ハウジング２の左側壁と右側壁の内側に沿って配置している。図２において上側に位置する左側の導電部材６は、図２〜図４に示すように、その後端に枝片１１を右側に突出して形成し、枝片１１の右端を上側に折り曲げている。枝片１１の右端は、前後の両側にそれぞれ接触片１２を右側に突出して形成している。前後の両接触片１２は、近接して並列し、かつ、前後方向と直角に配置して、雌型接触片の刃受け部分にしている。この雌型接触片１２の刃受け部分は、差込プラグの雄型接触片が挟み込まれる部分であり、右側が入口になり、入口側に２枚の案内片１３を外開き状に突出している。左側の導電部材６、枝片１１、雌型接触片１２と案内片１３は、一連に連結した金属板である。電気的に接続している。
【００２７】
右側の導電部材６は、図２、図３と図５に示すように、その後端に枝片１４を左側に突出して形成し、枝片１４の左端を上側に折り曲げている。枝片１４の左端は、前後の両側にそれぞれ接触片１５を左側に突出して形成している。前後の両接触片１５は、近接して並列し、かつ、前後方向と直角に配置して、雌型接触片の刃受け部分にしている。この雌型接触片１５の刃受け部分は、差込プラグの雄型接触片が挟み込まれる部分であり、左側が入口になり、入口側に２枚の案内片１６を外開き状に突出している。右側の導電部材６、枝片１４、雌型接触片１５と案内片１６は、一連に連結した金属板である。電気的に接続している。
【００２８】
これらの枝片１４、雌型接触片１５と案内片１６は、上記の枝片１１、雌型接触片１２と案内片１３の前側に位置している。前後の雌型接触片１５と雌型接触片１２とで１対の雌型接触片、第１雌型接触片を構成している。
【００２９】
左側の導電部材６は、図２と図３に示すように、後端に接続した枝片１１、雌型接触片１２及び案内片１３と同様に、中間位置に接続した枝片１７、雌型接触片１８及び案内片１９を形成している。右側の導電部材６は、後端に接続した枝片１４、雌型接触片１５及び案内片１６と同様に、中間位置に接続した枝片２０、雌型接触片２１及び案内片２２を形成している。前後に位置する雌型接触片２１と雌型接触片１８とで１対の雌型接触片、第２雌型接触片を構成している。
【００３０】
上側ハウジング３の上側壁には、図１と図３に示すように、１対の第１差込孔２３、２４を１対の第１雌型接触片１２、１５に対応する位置に貫通している。１対の第１差込孔２３、２４は、それらの間の中点を中心とする円弧形状にし、その一端側を第１雌型接触片１２、１５の刃受け部分の真上位置に配置せずに差込端にし、他端側を第１雌型接触片１２、１５の刃受け部分の真上位置に配置して接続端にしている。１対の第１差込孔２３、２４の差込端には、入口側に、家庭用電気器具の差込プラグの雄型接触片を差し込み易くする面取り２５を施している。
【００３１】
１対の第１差込孔２３、２４の差込端に、図６と図７に鎖線で示すように、その上方位置から家庭用電気器具の差込プラグ３１の雄型接触片３２を差し込むと、差込プラグ３１の各雄型接触片３２は、根元側が各第１差込孔２３、２４の差込端に嵌合し、先端側が各第１雌型接触片１２、１５に挟まれない。差込プラグ３１の各雄型接触片３２の根元側が各第１差込孔２３、２４に嵌合した状態を維持して差込プラグ３１をその１対の雄型接触片３２間の中点を中心として回転し、差込プラグ３１の１対の雄型接触片３２を１対の第１差込孔２３、２４の接続端に移動させる。すると、図８と図９に鎖線で、図１０に実線で示すように、差込プラグ３１の１対の雄型接触片３２は、先端側が１対の第１雌型接触片１２、１５に挟まれる。
【００３２】
また、上側ハウジング３の上側壁には、１対の第２差込孔２６、２７を１対の第２雌型接触片１８、２１に対応する位置に貫通している。１対の第２差込孔２６、２７は、１対の第１差込孔２３、２４と同様に、それらの間の中点を中心とする円弧形状にし、その一端側を第２雌型接触片１８、２１の刃受け部分の真上位置に配置せずに差込端にし、他端側を第２雌型接触片１８、２１の刃受け部分の真上位置に配置して接続端にしている。１対の第２差込孔２６、２７の差込端には、入口側に、差込プラグ３１の１対の雄型接触片３２を差し込み易くする面取り２８を施している。
【００３３】
第２差込孔２６、２７の差込端に、その上方位置から差込プラグ３１の雄型接触片３２を差し込むと、各雄型接触片３２は、根元側が各第２差込孔２６、２７の差込端に嵌合し、先端側が各第２雌型接触片１８、２１に挟まれない。差込プラグ３１の各雄型接触片３２の根元側が各第２差込孔２６、２７に嵌合した状態を維持して差込プラグ３１を１対の雄型接触片３２間の中点を中心として回転し、差込プラグ３１の１対の雄型接触片３２を１対の第２差込孔２６、２７の接続端に移動させる。すると、差込プラグ３１の１対の雄型接触片３２は、先端側が１対の第２雌型接触片１８、２１に挟まれる。
【００３４】
実施形態のコンセント１を備えた延長コードを使用する場合、コンセント１とコード７で接続した差込プラグ１０は、家屋の壁に埋設した単相低圧電源の壁コンセントに差し込む。すると、コンセント１の第１雌型接触片１２、１５と第２雌型接触片１８、２１が単相低圧電源に接続される。
【００３５】
コンセント１は、家屋の床の上に置く。テレビ受像機の差込プラグ３１は、片手で摘み、コンセント１の第１差込孔２３、２４に向けてその上方位置から突き出し、下降する。差込プラグ３１の１対の雄型接触片３２は、コンセント１の第１差込孔２３、２４の差込端に差し込む。次に、コンセント１を床に押し付けつつ、差込プラグ３１を摘んだ片手を右回りにねじる。即ち、差込プラグ３１の各雄型接触片３２の根元側が各第１差込孔２３、２４に嵌合した状態を維持して、差込プラグ３１を右回りにひねって右回転し、差込プラグ３１の１対の雄型接触片３２を１対の第１差込孔２３、２４の接続端に移動させる。
【００３６】
すると、図８〜図１０に示すように、差込プラグ３１の１対の雄型接触片３２は、先端側が１対の第１雌型接触片１２、１５に挟まれる。テレビ受像機の差込プラグ３１は、延長コード１、７、１０を介して単相低圧電源に接続される。
【００３７】
差込プラグ３１をコンセント１から引き抜くときは、差込プラグ３１を片手で摘み、その片手を、コンセント１側に押し付けつつ、左回りにねじる。即ち、コンセント１を床に押し付けつつ、差込プラグ３１を左回りにひねって左回転し、差込プラグ３１の１対の雄型接触片３２を１対の第１差込孔２３、２４の差込端に移動させる。
【００３８】
すると、差込プラグ３１の１対の雄型接触片３２が１対の第１雌型接触片１２、１５から抜け出る。差込プラグ３１は、単相低圧電源から電気的に遮断される。次に、差込プラグ３１は、第１差込孔２３、２４から手前側に引き寄せ、上昇させる。差込プラグ３１の１対の雄型接触片３２は、１対の第１差込孔２３、２４の差込端から抜け出る。テレビ受像機の差込プラグ３１は、片手で摘んで簡単に引き抜かれる。
【００３９】
差込プラグ３１を第２差込孔２６、２７に差し込む又は引き抜く場合は、第１差込孔２３、２４に差し込む又は引き抜く上記の場合と同様である。
【００４０】
コンセント１に差し込んだ差込プラグ３１をひねって右回転又は左回転させる際、床上の可動型コンセント１が右回転又は左回転するのを確実に防ぐため、コンセント１の下面には、ゴム板のような滑り止めを施してもよい。
【図面の簡単な説明】
【図１】本発明の実施形態におけるコンセントを備えた延長コードの中間省略平面図。
【図２】同コンセントの上側ハウジングを取り外した状態の平面図。
【図３】図１のＡ−Ａ線断面図。
【図４】図２のＢ−Ｂ線断面図。
【図５】図２のＣ−Ｃ線断面図。
【図６】同コンセントに差込プラグを差し込んだ状態を示す平面図。
【図７】同コンセントに差込プラグを差し込んだ状態を示す図で、上側ハウジング取外状態の平面図。
【図８】同コンセントに差込プラグを差し込んで回転した状態を示す平面図。
【図９】同コンセントに差込プラグを差し込んで回転した状態を示す図で、上側ハウジング取外状態の平面図。
【図１０】同コンセントに差込プラグを差し込んで回転した状態を示す図で、図３と同じ断面図。
【符号の説明】
１  延長コードのコンセント
２  下側ハウジング
３  上側ハウジング
４  ネジ
５  取付座
６  導電部材
７  コード
８  コードの電線
９  ネジ
１０  延長コードの差込プラグ
１１、１４  枝片
１２、１５  接触片、雌型接触片、第１雌型接触片
１３、１６  第１雌型接触片の案内片
１７、２０  枝片
１８、２１  接触片、雌型接触片、第２雌型接触片
１９、２２  第２雌型接触片の案内片
２３、２４  第１差込孔
２５  第１差込孔の差込端の面取り
２６、２７  第２差込孔
２８  第２差込孔の差込端の面取り
３１  家庭用電気器具の差込プラグ
３２  差込プラグの雄型接触片
【図１】
2004273280.tif 000003
【図２】
2004273280.tif 000004
【図３】
2004273280.tif 000005
【図４】
2004273280.tif 000006
【図５】
2004273280.tif 000007
【図６】
2004273280.tif 000008
【図７】
2004273280.tif 000009
【図８】
2004273280.tif 000010
【図９】
2004273280.tif 000011
【図１０】
2004273280.tif 000012